Podtech/llm-jp-corpus-v4-ja_patent huggingface dataset:
(57)【要約】【課題】機能門柱１のように支柱自体に何らかの備品や部材を取り付けているものにおいて、これらの備品や部材を雨や直射日光に対して保護することができる機能門柱用屋根を提供する。【解決手段】支柱の適宜位置に屋根板２を配置し、当該屋根板２の支柱から遠い先端側を支持杆８を介して支柱に支持させるとともに、屋根板２の支柱から近い基部側を支持金具９を介して支持することにより、上記屋根板２を支柱から適宜の角度で張出させるようにした。【選択図】図１
2005188112.tif 000002
【特許請求の範囲】
【請求項１】
支柱の適宜位置に屋根板を配置し、当該屋根板の支柱から遠い先端側を支持杆を介して支柱に支持させるとともに、屋根板の支柱から近い基部側を支持金具を介して支持することにより、上記屋根板を支柱から適宜の角度で張出させるようにしたことを特徴とする機能門柱用屋根。
【請求項２】
前記屋根板は角度調整が可能に設けられている、請求項１に記載の機能門柱用屋根。
【発明の詳細な説明】
【技術分野】
【０００１】
本発明は、門柱などの支柱の近傍を部分的に雨や直射日光から保護することができる小屋根状の機能門柱用屋根に関する。
【背景技術】
【０００２】
一般に、住宅の門には郵便受け、表札、インターホン、照明、門扉等の備品が取り付けられている場合がある。このような門は機能門柱とよばれている。
【０００３】
ところが、これらの備品は通常は雨ざらしになっており、防水がしっかりしていなかったり、郵便受けから新聞や郵便物がはみ出していたりすると、濡れてしまうことがあり、濡れなくても直射日光に晒されることにより備品の色がはやく褪せたり劣化したりする。
【発明の開示】
【発明が解決しようとする課題】
【０００４】
しかしながら、このような小さな備品を雨や直射日光等から守るために何らかの保護手段を講じようとする考えは誰も思いつかなかった。
【０００５】
本発明は上記問題点を解決し、特に機能門柱のように支柱自体に何らかの備品や部材を取り付けているものにおいて、これらの備品や部材を雨や直射日光に対して保護することができる機能門柱用屋根を提供することをその課題とする。
【課題を解決するための手段】
【０００６】
前記課題を解決するため、本発明に係る手摺用機能門柱用屋根は、支柱の適宜位置に屋根板を配置し、当該屋根板の支柱から遠い先端側を支持杆を介して支柱に支持させるとともに、屋根板の支柱から近い基部側を支持金具を介して支持することにより、上記屋根板を支柱から適宜の角度で張出させるようにしたことを特徴とする。
【０００７】
なお、前記屋根板は角度調整が可能に設けられているのが好ましい。
【発明の効果】
【０００８】
請求項１に係る発明によれば、支持杆と支持金具とによって屋根板を支持しているので、門柱などの支柱の近傍を部分的に雨や直射日光から遮ることができる。したがって、支柱に設けた郵便受け、表札、インターホン、照明、門扉等の比較的小さい備品や、支柱に近接した門扉や自転車を保護することができる。
【０００９】
なお、屋根板を細長にすることにより、支持杆と支持金具とによって屋根板を支持しやすく、取り付け強度も高い。
【００１０】
請求項2に係る発明によれば、屋根板は角度調整が可能に設けられているから、風雨の強弱、太陽の角度、季節などによって最適な保護を確保することができる。
【発明を実施するための最良の形態】
【００１１】
図１は機能門柱用屋根の斜視図であり、図２は屋根板の取付状態を示す側面図である。同図において、符号１は門柱、２は屋根板を示す。図示しないが、門柱は庭、アプローチの小道を経て玄関に続いている。
【００１２】
門柱１には、下端から門扉３、郵便箱４、表札５が取り付けられている。また、上端には門灯６が取り付けられている。これらの門扉３、郵便箱４、表札５や門灯６は通常の取り付け手段によって門柱１に固定すればよい。
【００１３】
次に、屋根板２はポリカーボネートなどの着色された合成樹脂製の面板で、先端側（門柱１から遠い側）は円弧状に、基部側（門柱１に近い側）は二股状に分岐した、全体が細長形状に形成され、支持杆８と支持金具９とによって支持されている。なお、二股部７の間の間隔は門柱１の直径とほぼ同じか、それよりやや大きくなるように形成され、二股部７の間に門柱１を挟むように配置されている。
【００１４】
支持杆８の一端は取付金具１０を介して門柱１に取り付けられ、他端は屋根板２の上面に取付金具１１を介して取り付けられている。取付金具１０、１１は回動可能な構造になっている。
【００１５】
支持金具９は馬蹄形を成し、内側面が門柱１の側面に沿って当接した状態で固定されている。支持金具９の上には屋根板２の二股部７を載置し、その上からボルト等で固定している。
【００１６】
なお、屋根板は1枚に限定されない。門柱の周囲に高さ位置や張り出し方向を変えて複数枚取り付けてもよい。
【００１７】
また、屋根板は支柱を包囲するように形成したものでもよい。つまり、屋根板を2分割し、接合する時、その間に支柱を挟むような構造であってもよい。
【００１８】
さらに、屋根板の取り付け手段は上述のように支持杆と支持金具に限定されない。他の取り付け手段であってもよい。
【００１９】
また、屋根板に太陽電池を取り付け、そこで発電された電気を門柱上端の門灯や地面に設けた照明器具に給電するようにしてもよい。
【００２０】
図３は支持杆８を可変できるようにするとともに、屋根板２の基部の支持金具９を蝶番とし、この支持金具９に屋根板２を固定するようにすれば、必要に応じて屋根板２の角度を調整することができる。そして、風雨の強弱、太陽の角度、季節などによって最適な保護を確保することができる。
【００２１】
なお、長さを可変調整できる支持杆８は３分割構成とし、支持杆８の中央部８ａに雌ネジ、両側部８ｂに雄ネジを設け、中央部８ａを回して雄ネジを雌ネジにねじ込む度合によって長さを変えるようにすればよい。
【図面の簡単な説明】
【００２２】
【図１】機能門柱用屋根の斜視図
【図２】屋根板の取付状態を示す側面図
【図３】他の例の取付状態を示す側面図
【符号の説明】
【００２３】
１    門柱
２    屋根板
【図１】
2005188112.tif 000003
【図２】
2005188112.tif 000004
【図３】
2005188112.tif 000005
(57)【要約】【課題】手摺３の端部に対し、下向きにも横向きだけでなく斜め向きにも取り付けることができるエンドキャップ１を提供する。【解決手段】手摺３の端部に連結金具２を介して取り付けられるエンドキャップ１であって、中間部が屈曲するとともに、手摺３の端部に向き合う側の端面には、四角形を除く多角形状の凹部４を形成し、連結金具２の一方の端部には、上記凹部４に嵌まり合う断面多角形状の嵌合部５を形成した。【選択図】図２
2005188113.tif 000002
【特許請求の範囲】
【請求項１】
手摺の端部に連結金具を介して連結されるエンドキャップであって、中間部が屈曲するとともに、手摺の端部に向き合う側の端面には、四角形を除く多角形状の凹部を形成し、連結金具の一方の端部には、上記凹部に嵌まり合う断面多角形状の嵌合部を形成したことを特徴とする手摺用エンドキャップ。
【発明の詳細な説明】
【技術分野】
【０００１】
本発明は、手摺の端部に取り付けられる手摺用エンドキャップに関するものである。
【背景技術】
【０００２】
一般に、手摺は主に老人や病人などが安定して歩くことができるようにするための補助設備であるが、手摺がその端部まで真直状になっていると、手摺につかまろうとして袖口が手摺の端部に引っ掛かって手元が狂ったり、袖口部分で急に引き戻されて転んでしまったりすることがあり、また袖口が破れることがある。したがって、端部は屈曲している方が好ましく、そのため、手摺の端部には屈曲したエンドキャップを取り付け、その端面を下方か壁面に向くようにしているのが一般的である。
【０００３】
従来のエンドキャップは、手摺の端部に連結金具を介して取り付けられているが、特許文献１に示すように、エンドキャップと手摺の内部には十字型の溝が形成されているのに対し、連結金具の両端は断面が十字型に形成され、連結金具の両端をエンドキャップと手摺の十字型の溝に嵌め込んで連結していた。
【特許文献１】特開平３−２３３０６７号公報
【発明の開示】
【発明が解決しようとする課題】
【０００４】
しかしながら、上述の構成では、エンドキャップは下向きか横向きにしかできない。実際には、斜めに向けざるを得ないこともあり、この場合には対応することができなかった。
【０００５】
本発明は上記問題点を解決し、手摺の端部に斜めにも取り付けることができる手摺用エンドキャップを提供することをその課題とする。
【課題を解決するための手段】
【０００６】
前記課題を解決するため、本発明に係る手摺用エンドキャップは、手摺の端部に連結金具を介して連結されるエンドキャップであって、中間部が屈曲するとともに、手摺の端部に向き合う側の端面には、四角形を除く多角形状の凹部を形成し、連結金具の一方の端部には、上記凹部に嵌まり合う断面多角形状の嵌合部を形成したことを特徴とする。
【発明の効果】
【０００７】
本発明によれば、エンドキャップの嵌合部を連結金具の凹部に嵌合する場合、現場の条件に応じて、凹部の多角形状を利用して上記嵌合部に嵌入する角度をずらせばよい。この場合、凹部の形状として四角形は除かれているので、エンドキャップの先端を斜めに向けることができる。
【発明を実施するための最良の形態】
【０００８】
図１および図２において、符号１はエンドキャップ、２は連結金具であり、３は手摺を示す。
【０００９】
エンドキャップ１は中間部が屈曲し、一方の端部は連結金具２を介して手摺３に連結されるように構成されている。すなわち、エンドキャップ１の手摺３の端部に向き合う側の端面には、８角形状の凹部４が形成されている。
【００１０】
これに対し、連結金具２はエンドキャップ１と手摺３の両方に嵌合する第１の嵌合部５と第２の嵌合部６を備えているが、第１の嵌合部５はエンドキャップ１側の端部に、上記凹部４に嵌まり合う大きさで断面８角形状に形成されている。そして、連結金具２の他方の第２の嵌合部６は、第１の嵌合部５の端面の偏り位置から突出し、同図の上部と下部には溝７、８が形成されている。また、下部溝８の開口部は２段に形成されている。なお、第１の嵌合部５の上記端面には、中心部から図２の下方にかけて溝９が形成されている。
【００１１】
次に、手摺３は金属や合成樹脂の押出し型材によって形成され、図２の下方は開口され、開口縁から内側にコ字形の溝部１０が形成されている。溝部には手摺３とほぼ同じ長さのキャップが取り付けられるようになっている。手摺３の内側空間は連結金具２の第２の嵌合部６が嵌まり合う大きさに形成されている。
【００１２】
上記連結金具２を介して手摺３にエンドキャップ１を取り付けるときは、まず、エンドキャップ１の凹部４に連結金具２の第１の嵌合部５を嵌合し、図３のようにネジ１１を挿通してエンドキャップ１の凹部４の底部にねじ込んで固定する。これにより、図１のように、エンドキャップ１からは第２の嵌合部６のみが突出する。次に、第２の嵌合部６を手摺３の空間内に嵌め込み、手摺３の開口部からネジ１２を入れてコ字形溝部１０を貫通させて第２の嵌合部６にねじ込んで固定する。最後に、上記開口部にキャップ１３を係着させればよい。
【００１３】
ところで、エンドキャップ１に連結金具２を連結する場合、エンドキャップ１の凹部４と第１の嵌合部５は８角形であるから、連結金具２の第２の嵌合部６は第１の嵌合部５の中心のまわりを４５度ずつ変えてエンドキャップ１の凹部４に嵌めこむことができる。
【００１４】
このため、手摺３に対してエンドキャップ１を下向きにしたり、横向きにしたりすることができるほか、斜め向きにすることもできる。
【００１５】
図４はエンドキャップ１を下向きにして取り付けた例であり、１４は支柱を示す。図５はエンドキャップ１を壁１５側に向けて取り付けた例である。また、エンドキャップ１は図６のように、斜めに取り付けることもできる。
【００１６】
以上のように、現場の条件に応じて、凹部４の多角形状を利用して上記嵌合部５を嵌入する角度をずらせばよい。この場合、凹部４の形状として四角形は除かれているので、エンドキャップ１の先端を斜めに向けることができる。
【００１７】
なお、エンドキャップの凹部と第２の嵌合部は、それぞれ四角形を除く多角形状に形成されていれば足り、８角形に限定されない。
【図面の簡単な説明】
【００１８】
【図１】連結金具を取り付けた状態のエンドキャップの斜視図
【図２】連結金具とエンドキャップと手摺の分解斜視図
【図３】エンドキャップの連結状態の縦断面図
【図４】エンドキャップを下向きに取り付けた状態の側面図
【図５】エンドキャップを横向きに取り付けた状態の平面図
【図６】エンドキャップを斜め向きに取り付けた状態の斜視図
【符号の説明】
【００１９】
１    エンドキャップ
２    連結金具
３    手摺
４    凹部
５    第１の嵌合部
【図１】
2005188113.tif 000003
【図２】
2005188113.tif 000004
【図３】
2005188113.tif 000005
【図４】
2005188113.tif 000006
【図５】
2005188113.tif 000007
【図６】
2005188113.tif 000008
(57)【要約】      （修正有）【課題】摩擦伝達を行う、円筒コイルばねの相対的位置を補正する。【解決手段】シャフト１の円筒外周面１１とパイプ２の円筒内周面１２との間を圧接した状態で、かつ、中心軸が曲線をなしてころがり運動をする、複数個の円筒コイルばね３を有する回転直線変換装置において、該円筒コイルばねがそれぞれ圧接する該円筒外周面及び該円筒内周面間の摩擦力に相違を設ける。【選択図】図１
2005188731.tif 000002
【特許請求の範囲】
【請求項１】
シャフト（１）の円筒外周面（１１）とパイプ（２）の円筒内周面（１２）との間を圧接した状態で且つ、中心軸が曲線をなしてころがり運動をする、複数個の円筒コイルばね（３）を有する回転直線変換装置に於て、該円筒コイルばねがそれぞれ圧接する該円筒外周面及び該円筒内周面間の摩擦力に相違を設けたことを特徴とする回転直線変換装置。
【請求項２】
円筒外周面（１１）に硬質クロームめっきを施し、円筒内周面（１２）は、窒化処理を施したステンレス鋼とし、且つ、円筒コイルばねの外周面に硬質クロームめっきを施したことを特徴とする請求項１記載の回転直線変換装置。
【請求項３】
直線運動する円筒周面（１２）の両端に、それぞれ、円筒コイルばね（３）のストッパー（５）、（６）を設けたことを特徴とする請求項１記載の回転直線変換装置。
【発明の詳細な説明】
【発明の詳細な説明】
［産業上の利用分野］
【０００１】電動モーターの回転を直線運動に変換して、クランプ等に用い、特に省エネ及び、廉価を目的とする分野。
［従来技術］
【０００２】円筒外面と円筒内面間に、複数個の円筒コイルばねを圧接した直線運動駆動装置。
（特開平０８−２１９２４８）
圧接力を、軸方向において変化させることにより、円筒コイルばねの位置を補正するようにした直線電動アクチュエータ。
（特開２００２−１３０４１３）
［発明が解決しようとする課題］
【０００３】本願発明の課題は、従来の円筒コイルばねを圧接して、摩擦力により、回転運動と直線運動間の力の変換を目的とした変換装置において、摩擦伝達に不可欠の、起動時又は停止時等のスリップ現象に起因して生じる不具合（円筒外周面と円筒内周面の相対的位置に対して、円筒コイルばねの相対的位置がスリップが原因で変化し、且つ、この変化量が累積される）を解決することである。
［課題を解決しようとするための手段］
【０００４】前項に記した、スリップ現象のスリップ方向を制御する（円筒コイルばね３が移行してきた方向と逆方向にスリップさせる）ことにより、次のことが可能となる。
１、故意に（強制的に）スリップさせることにより、円筒コイルばねの相対的位置の原点復帰が可能となる。
２、スリップ現象に起因する、円筒コイルばねの相対的位置の変化量の累積を一定範囲内に抑えることが可能となる。
本願発明においては、上記技術内容を達成する具体的手段として、円筒外周面と円筒内周面がそれぞれ円筒コイルばねと圧接する際のそれぞれの摩擦力に相違をもたらすのである。
［発明の実施の形態］
【０００５】図面にしたがって説明する。
図１は、本願発明の回転直線変換装置の軸方向断面図であり、図２は、軸直角断面図である。
図１、図２に於て、円筒外周面１１と円筒内周面１２は同一中心軸をなし、円筒コイルばね３は、そのコイル中心軸が、前記同一中心軸の回りの螺旋の一部となるようにリテイナー４の傾斜角面７に嵌合され、且つ、該円筒外周面１１と該円筒内周面１２間に、コイル径方向に弾性変形した状態で圧接されている。
次に、動作について述べる。
図１において、シャフト１を、軸方向の動きだけを止めて電動モータ等で回転させ、パイプ２の回転だけを止めたとすると、円筒コイルばね３は、両円筒面１１、１２間に圧接された状態で螺旋状に転がり、パイプ２が軸方向に移動する。
この際の、力の伝達は圧接面の摩擦力によりなされるから、起動時又は停止時等の過負荷状態になった場合に圧接面にスリップが生じ、このことが原因で、円筒コイルばね３及びリテイナー４の、シャフト１及びパイプ２に対する相対的軸方向位置が変化することになる、この変位量が、繰返し使用する場合に、片側に累積されると、リテイナー４の軸方向の正常な移動量が確保できなくなる。
従って、パイプ２の正常な軸方向移動が出来なくなると言う不具合が生じる。
この不具合を解決するのが、本願発明の目的であり、以下図１に従って述べる。
図１において、シャフト１とパイプ２の軸方向の移動を拘束した状態で、シャフト１にだけ回転を与えると、円筒コイルばね３は両円筒面との圧接面において、それぞれ軸方向にスリップしながら回転する。この際の、スリップ量の相違を利用して円筒コイルばねの移動方向を制御するのが本願発明の要旨であり、より具体的に述べると、シャフト１を回転させることにより、パイプ２を軸方向に移動させると、円筒コイルばね３はパイプ２と同方向に移動している、この状態で、パイプ２に軸方向の過負荷がかかり停止すると、円筒コイルばね３は軸方向にスリップする。この際、円筒内周面１２（パイプ２）と円筒コイルばね３の摩擦力が、円筒外周面（シャフト１）と円筒コイルばね３との摩擦力より大であれば、円筒コイルばね３は、その移動方向と逆方向にスリップする。このことは、パイプ２の両方向の移動に対して成り立つ。そうすると、この場合に、パイプ２の両端に、円筒コイルばね３用のストッパー５、６をそれぞれ設けることで、パイプ２の繰返し往復移動に対しての円筒コイルばね３のスリップ量の累積を防ぐことができる。又、パイプ２の移動端で、強制的にスリップさせることにより、円筒コイルばね３をストッパー５又は６の位置に補正する（原点復帰）が可能となる。
［実施例］
【０００６】円筒外周面１１は、外径３０・０ｍｍ、焼き入れシャフトに硬質クロームメッキを施す。
円筒内周面１２は、内径５０・０ｍｍ、ステンレスパイプにイオン窒化を施す。
円筒コイルばね３は、外径１０・２ｍｍ、線径１．５ｍｍ、自由長２０ｍｍ、ピアノ線に硬質クロームメッキを施す。
円筒コイルばね３の本数は６本。円筒コイルばね３の傾斜角は３度。
上記条件で繰返しテストを実施した結果、出力（パイプ２の推力）約５００Ｎ時においても、本願発明の技術思想を裏付ける明確な結果がでている。
［発明の効果］
（１）、シャフト１とパイプ２に対する摩擦力の相違を利用しているために、軸方向のどの位置においても摩擦力の相違を一定とすることができることで、より安定した補正が可能となる。
（２）、圧接力の変化を利用した補正に比べて、より顕著な補正が可能である。
【図面の簡単な説明】
【図１】本願発明の軸方向断面図。
【図２】本願発明の軸直角断面図。
【符号の説明】
（１）は、シャフト。
（２）は、パイプ。
（３）は、円筒コイルばね。
（４）は、リテイナー。
（５）、（６）は、円筒コイルばね用ストッパー。
（７）は、リテイナーの傾斜角面。
（１１）は、円筒外周面。
（１２）は、円筒内周面。
【図１】
2005188731.tif 000003
【図２】
2005188731.tif 000004
(57)【要約】【課題】従来は吸盤と磁石は別々であった。したがって不便な場合があった。それを１つにして便利な磁石付き吸盤を提供する。【解決手段】吸盤（１）に磁石（２）を取り付けた事を特徴とする。【選択図】  図１
2005188733.tif 000002
【特許請求の範囲】
【請求項１】
吸盤の任意の部分、又は、適した部分に、磁石、又は、鉄冠付き磁石を取り付けた磁石付き吸盤。
【発明の詳細な説明】
【技術分野】
【０００１】  この発明は、吸盤に磁石、又は、鉄冠付き磁石を取り付けた、磁石を取り付けた、磁石付き吸盤に関するものである。
【背景技術】
【０００２】従来、吸盤と磁石は、別々であった。
【発明の開示】
【発明が解決しようとする課題】
【０００３】これは、次のような問題点があった。
吸盤は付くが磁石は付かない面などに対しては、磁石をくっ付ける事は出来なかった。又、磁石は付くが吸盤は付かない面などに対しては、吸盤をくっ付ける事は出来なかった。
本発明は、以上のような欠点をなくすためになされたものである。
【課題を解決するための手段】
【０００４】吸盤の任意の部分、又は、適した部分に、磁石、又は、鉄冠付き磁石を取り付ける。以上の構成よりなる磁石付き吸盤である。
【発明の効果】
【０００５】吸盤と磁石が一体になっているので、吸盤は付くが磁石は付かない面などに対しても、又、磁石は付くが、吸盤は付かない面などに対しても、どちらの面などにに対しても、本発明の磁石付き吸盤は、くっ付けることが出来る。
【発明を実施するための最良の形態】
【０００６】以下、本発明の実施の形態について説明する。
図１に示すように、吸盤（１）の外側の中心部辺りに、円柱状の磁石（２）の片面の中心部辺りを取り付ける。
取り付ける方法としては、強力接着剤を使用して取り付ける。
取り付ける方法はその他いろいろある。
本発明は、以上のような構造で、これを使用するときは、吸盤がくっ付く面などにに対しても、又、磁石がくっ付く面などに対しても、これを、くっ付けて、使用すればよい。
それから磁石又は、鉄冠にプラスチックなどが取り付けてある場合は、吸盤の任意の部分、又は適した部分に、磁石、又は鉄冠に取り付けてある、プラスチックなどの部分を取り付ける、など、すればよい。
【実施例１】
【０００７】図２に示すように、吸盤（１）の外側の中心部辺りに、鉄冠付き磁石の鉄冠（３）の外側の底面の中心部辺りを取り付ける。要するに、磁石の代わりに、鉄冠付き磁石を使用した場合である。
使用する場合は、吸盤とか磁石がくっ付く面などにくっ付ける。
【実施例２】
【０００８】  図３に示ように、吸盤の内側に、磁石を取り付けた場合である。使用するときは、
磁石とか、吸盤がくっ付く面などにくっ付ける。
【実施例３】
【０００９】図４に示すように、吸盤の内側に、鉄冠付き磁石を取り付けた場合である。使用する場合は、実施例２、の場合と同じある。
その他の実施例としては、吸盤の材質の内部に磁石を埋め込むという方法もある。更に、その他に、ゴム磁石で吸盤を造る、という方法もある。ゴム磁石で造る場合は、吸盤の内側にビニールなどの薄膜を取り付けるとか、ビニールなどの液を塗るなどすれば、よりよい。
【実施例４】
【００１０】普通の吸盤ではなく、蛸吸盤を使用した場合は、蛸吸盤の外側の、表面の任意の部分などに磁石、又は鉄冠付き磁石、又は、ゴム磁石などを取り付ける。
取り付ける方法としては、強力接着剤などを使用して取り付ける。
使用方法は、吸盤か磁石が、くっ付く面などにくっつけて使用する。
本発明の吸盤の部分的な名称としては、くっ付く面を内側、そしてその反対側を外側と定義する。
【図面の簡単な説明】
【００１１】
【図１】本発明の斜視図である。
【図２】本発明の鉄冠付き磁石を使用した場合の斜視図である。
【図３】本発明の吸盤の内側に磁石を取り付けた斜視図。
【図４】本発明の吸盤の内側に鉄冠付き磁石を取り付けた斜視図。
【符号の説明】
【００１２】  １吸盤
２磁石
３鉄冠
【図１】
2005188733.tif 000003
【図２】
2005188733.tif 000004
【図３】
2005188733.tif 000005
【図４】
2005188733.tif 000006
(57)【要約】【課題】  従来の絹織物の問題点を解消し、特殊な洗剤などを要することなく簡単に洗濯し得る絹織物及びその絹織物から形成される下着用衣服を提供する。【解決手段】  縦糸は絹繊維からなり、横糸は竹繊維を含有し、且つ全織物に対し絹織物５０〜７０重量％、竹繊維３０〜５０重量％により構成されていることを特徴とする竹繊維含有絹織物、及び該竹繊維含有絹織物から形成される事を特徴とする下着用衣服。【選択図】  なし【特許請求の範囲】
【請求項１】
縦糸は絹繊維からなり、横糸は竹繊維を含有し、且つ全織物に対し絹繊維５０〜７０重量％、竹繊維３０〜５０重量％により構成されていることを特徴とする竹繊維含有絹織物。
【請求項２】
洗濯収縮率が１．１％以下であることを特徴とする請求項１記載の竹繊維含有絹織物。
【請求項３】
請求項１又は２に記載の竹繊維含有絹織物から形成されることを特徴とする下着用衣服。
【発明の詳細な説明】
【技術分野】
【０００１】  本発明は、竹繊維を含有する絹繊維及び該絹織物から形成される下着用衣服に関するものであり、詳しくは、本発明の絹織物は横糸に竹繊維を含有し、水洗いによる縮みが少ないので、該絹織物からなる下着用衣服は洗濯することが可能である。
【背景技術】
【０００２】  従来、絹織物からなる衣服は、天然繊維であり、またその風合いが柔らかく、光沢があるので高級感に優れ、皮膚に接してもトラブルを生ずることのほとんど無いものとして利用されてきた。しかしながら、一般に絹織物は水で洗うとかなりの縮が生じるため、繊維自体に特殊加工を施すか、特殊な洗剤を用いて洗濯をしなければならなかったが、洗濯によ縮を防止することは難しかった。
一方、天然繊維の一種である竹繊維は、剛性を有することからポリプロピレン繊維やポリエステル繊維などの合成繊維と一緒に使用してフェルトや内装材の補強繊維として利用されているが、衣服用織物には殆ど適用されていない。
【発明の開示】
【発明が解決しようとする課題】
【０００３】  本発明は、従来の絹織物の問題点を解消し、特殊な洗剤などを要することなく簡単に洗濯し得る絹織物及びその絹織物から形成される下着用衣服を提供することを目的とする。即ち、従来の問題点としては、下記の点が挙げられるが、これらの点を有しない絹織物及びそれらからなる下着用衣服を提供するのである。
（イ）絹の着物用下着等は洗濯機で洗うと縮む
（ロ）特殊な洗剤を用い、手洗いによるため手間が面倒である
（ハ）洗濯は専門店に依頼せざるを得ない
（ニ）手洗いによる小皺が生じ、容易に消すことができない
【問題を解決するための手段】
【０００４】  本発明者は、絹織物の特性を生かしながら、上記問題点を有しない絹織物について鋭意検討した結果、絹糸と竹繊維を組み合わせることにより洗濯可能にし得ることを見出し、本発明を達成した。即ち、本発明の要旨は、縦糸は絹繊維からなり、横糸は竹繊維を含有し、且つ全織物に対し絹繊維５０〜７０重量％、竹繊維３０〜５０重量％により構成されていることを特徴とする竹繊維含有絹織物、及び該竹繊維含有絹繊維から形成されることを特徴とする下着用衣服に存する。
【発明の効果】
【０００５】  本発明の絹織物は、洗濯による縮が少ないので洗濯機で洗濯することが出来、しかも汗の吸収と発汗に優れた絹本来の特性を備えているので、本発明の絹織物で形成される下着は着衣した際快感を覚え、またアトピーなど肌の弱い人でも皮膚障害を生じることが殆ど無く健康的な衣服である。
【発明を実施するための最良の形態】
【０００６】  本発明の絹織物は、縦糸が１００％絹繊維からなり、横糸に竹繊維と絹繊維が含有されてなるものであり、全織物物に対し絹繊維５０〜７０重量％、竹繊維３０〜５０重量％により構成されている。縦糸及び横糸を適当な間隔の格子状とすることで伸縮性が付与され、原糸は縦糸及び横糸共に、緒撚糸を用い、縦糸には生糸を、横糸には作蚕糸が使用される。それらのグレードは所望の絹織物の性状に応じ決められる。
本発明の絹織物の概念図は、図１の如く示される。図中、１は絹織物、２は絹繊維の縦糸及び３は竹繊維の横糸をそれぞれ表す。【０００７】  竹繊維は、竹の桿から種々の方法により製造されており，例えば、竹をロールで押し潰した後、ハンマー式解繊機で解繊する方法、竹を蒸煮してからデイファイブレーターで解繊する方法、竹をかんなにより切削する方法等で製造されている。本発明の絹織物に使用する竹繊維は、竹を粉砕してノズルから噴出したものを糸状にしたものであり、糸の太さは２６０デニールと１３０デニールのものがあるが、絹の風合いを損なわない観点から１３０デニールのものを使用するのが良い。【０００８】  本発明の絹織物にける竹繊維の含有量は、全繊維にたいして３０〜５０重量％であり、絹繊維は５０〜７０重量％である。竹繊維の含有量がこの範囲を超えて多すぎると、絹の特性を損なう恐れがあり、他方少なすぎると、洗濯した際に縮が多きくなり好ましくない。竹繊維の含有量は、好ましくは３５〜４５重量％、最も好ましくは４０重量％である。【０００９】  本発明の絹織物は、横糸に竹繊維を使用しているので、洗濯しても縮、特に横方向の縮が極めて少なく洗濯機による洗濯が出来るのである。本発明の絹織物の縮は、洗濯前の横方向の長さ（ａ）と、洗濯後の長さ（ｂ）との差を洗濯前の長さ（ａ）で除した値、即ち、［（ａ）−（ｂ）／（ａ）］を収縮率で表した場合、その収縮率は１．１％以下である。【００１０】  竹は、凄まじい成長力をもち、脱臭、清浄作用、抗菌作用に優れた特性を持つ天然繊維である。竹繊維を用いた織布は、竹繊維が持つ剛性により「ハリ」、「コシ」に富み「防シワ性」にも優れているが、同時にその肌触りの良さと清涼感は既存のコットンには無い竹繊維ならではのものである。麻よりもしなやかで、レーヨン似た風合いと発色性の良さを有する。
本発明の絹繊維は、竹繊維の持つかかる優れた特性と絹の特性を持つもので、上記の構成からなり、洗濯機で洗濯しても縮が少ないので、該絹織物から形成される衣服は、洗濯しても形崩れを防ぐことが出来、洗濯の頻度の多い着衣への利用性が高い。【００１１】  また，絹本来の特性である吸湿性や発汗性も有しているので，皮膚に接した場合清涼感もあり優れた感触が得られ、しかも乾きが速く、竹繊維の持つ抗菌性により臭いが付かない特性も有している。このように、絹と竹織布との混織布は、肌に密着せず、適度のドレープ性があるので、日本のような高温多湿地域では、湿気、吸水に優れ触れるとここちよい冷たさを感じることができる素材として注目される。【００１２】  更に、本発明絹織物は皮膚に直接接しても皮膚障害等のトラブルを殆ど生じないので、下着用の布地として極めて有用であるが、加えて、人肌への優しさや抗菌性から医療関連布素材としての有用性が高く、敏感肌用や乳幼児用の肌着素材としての適用の可能性が大きい。
また、本発明の絹織物は、植物性繊維の染色に用いられる染料での染色が可能であり、任意の色に染色することが出来る。
以上の如く本発明の絹織物は、肌に触れる衣服としての優れた適正を有しているので、着物に最適な長襦袢、肌襦袢、着物スリップ等の下着を形成することが出来、また着物裏地としても有用である。
【図面の簡単な説明】
【００１３】
【図１】  本発明の絹織物の概念図
【符号の説明】
【００１４】    １  絹織物
２  絹繊維の縦糸
３  竹繊維の横糸
【図１】
2005188013.tif 000002
(57)【要約】【課題】洗顔時に手のひらから肘に向かって伝う水を止め一定の場所から流れ落ちる洗顔手首カバーを提供する。【解決手段】全体を略円錐状からなる排水性のカバーであり先端を開口部とし、開口部の一部分に洗顔時の水を流出しやすくするため半円状の切り込みを入れる。後部を手首への挿入部とし、挿入部の内側に吸水性の吸水布で被覆する。本発明を両手首にはめる事によって、顔を洗っている時に水が手のひらから腕や肘に伝うのを防ぐことを特徴とする洗顔手首カバー。【選択図】図１
2005188014.tif 000002
【特許請求の範囲】
【請求項１】
全体を略円錐状からなる排水性のカバーであり先端を開口部とし、開口部の一部分に洗顔時の水を流出しやすくするため半円状の切り込みを入れ、後部を手首への挿入部とし、挿入部の内側に吸水性の吸水布で被覆し、本発明を両手首にはめる事によって、顔を洗っている時に水が手のひらから腕やひじにつたうのを防ぐことを特徴とする洗顔手首カバー。
【発明の詳細な説明】
【技術分野】
【０００１】本発明は、洗顔時に両手で洗顔する時、水はねや手に伝わった水で衣類への濡れを防ぐ洗顔手首カバーに関するものである。
【背景技術】
【０００２】  従来、洗顔時に手のひらから腕や肘まで水が伝って、床や洗面所のまわりにたれていた。たれた水は雑巾等で拭き取っていた。また、着ている衣類に手のひらから肘まで水がつたって衣類まで濡れる事がある。
【発明の開示】
【発明が解決しようとする課題】
【０００３】  そのために、次のような問題点があった。
洗顔時に手のひらから肘まで伝って床や洗面所のまわりにたれた水は、その都度拭き取って手間がかかった。
また、長袖の衣類はまくらないと衣類が濡れてしまう為、袖をまくって洗っているが、袖口がゴムになっているものは、まくると袖口がのびてしまったり、ブラウスなどはボタンをはずしてまくっている為効率が悪かった。
本発明は以上の問題点を解決しようとするものである。
【課題を解決しようとするため手段】
【０００４】  全体を略円錐状からなる排水性のカバーであり先端を開口部とし、開口部の一部分に洗顔時の水を流出しやすくするため半円状の切り込みを入れる。後部を手首への挿入部とし、挿入部の内側に吸水性の吸水布で被覆する。本発明を両手首にはめる事によって、顔を洗っている時に水が手のひらから腕や肘に伝うのを防ぐ。以上を特徴とする洗顔手首カバーである。
【発明の効果】
【０００５】  本発明は、洗顔手首カバーをはめる事によって、洗顔時の水が手のひらから肘まで流れ伝うのを防ぎ、排水性のカバーに切り込みを入れる事により、水が切り込み部分から一定部分に流れ落ちる。従って衣類の袖も必要以上にまくらずにすみ、濡れる心配もない。洗面所のまわりに飛び散らずにすみ、効率良く洗顔が出来る。
【発明を実施する為の最良の形態】
【０００６】  以下、本発明の実施の形態を説明する。
（イ）洗顔時に、顔を洗っている時の水が一定方向へ排水出来るようにするため、手首に装着する排水性のカバー（１）は、全体が略円錐状からなる。
（ロ）排水性のカバー（１）の上縁の一部に半円形状の切り込み部（５）を設ける。
（ハ）カバー（１）の下端部に設けた手首の挿入部（７）の周縁に、ゴム（４）を通すためのゴム穴（２）を設ける。
（ニ）挿入部（７）の周縁に、ゴム穴（２）の外側に重ねるように、吸水性布（３）で被覆する。
（ホ）カバー（１）の下端部が両手首の挿入口となるため、ゴム穴（２）にゴム（４）を通し、絞って略円錐状にする。
本発明は、以上の構成よりなっている。
本発明を使用する時は、上記の洗顔手首カバーの開口部（６）を手のひら方向へ向けて挿入部（７）を両手首にはめる。この時、切り込み部（５）を腕より下方に向け装着する。すると洗顔している時に手首に伝わって来た水は、挿入部（７）で絞ったゴム（４）と挿入部分に被覆した吸水性布（３）に遮られ、切り込み部（５）よりカバー（１）の外の一定部分に流出する。
従って両手で顔を洗っている時も水が手首を伝って肘まで流れ伝う事もなく、洗面所などのまわりに飛び散る事もない。
【図面の簡単な説明】
【０００７】
【図１】本発明の斜視図
【図２】本発明の正面図
【図３】本発明のＡ−Ａ’断面図
【図４】本発明の使用状態を示す斜視図
【符号の説明】
【０００８】    １  カバー
２  ゴム穴
３  吸水性布
４  ゴム
５  切り込み部
６  開口部
７  挿入部
８  水
【図１】
2005188014.tif 000003
【図２】
2005188014.tif 000004
【図３】
2005188014.tif 000005
【図４】
2005188014.tif 000006
(57)【要約】【課題】  購買者の希望に添った写真、絵等をネクタイの裏面に施すことにより、一見普通のネクタイであるが、裏を返せばオリジナルな図柄を有するネクタイとなり、着けて楽しい、贈って嬉しい、世界に１つしかない、オリジナル性に優れたネクタイの提供を可能とするものである。お父さん、恋人、夫へのプレゼントとして、また、自分のお気に入りのデザインを施したネクタイとして最適である。【解決手段】表、裏の二重の生地からなるネクタイであり、このネクタイの裏地大剣部に所望の図柄を施してなるネクタイ。【選択図】なし【特許請求の範囲】
【請求項１】
表、裏の二重の生地からなるネクタイであり、このネクタイの裏地大剣部に所望の図柄を施してなることを特徴とするネクタイ。
【発明の詳細な説明】
【技術分野】
【０００１】
本発明は、オリジナル性に優れた、購買者の希望する写真や絵等をネクタイの裏面に有するネクタイに関する。
【背景技術】
【０００２】
近年、ネクタイに、種々の機能を付与したものが提案されている。
その中で、ファッション性やオリジナル性を謳ったネクタイとして、締着したとき表になる柄部に切り込みを設け、その後ろの柄部を切り込みから前に出し、２柄模様としたネクタイ（特許文献１）や、両面使用可能なネクタイ（特許文献２）等がある。
【０００３】
【特許文献１】実用新案登録第３０８４３４５号公報
【特許文献２】特開２００１−２０１１３号公報
【０００４】
しかしながら、上記ネクタイでは、オリジナル性において、十分ではなかった。
【発明の開示】
【発明が解決しようとする課題】
【０００５】
本発明は、上述のような問題点に鑑みなされたものであって、その目的は、オリジナル性に優れたネクタイを提供することにある。
【課題を解決するための手段】
【０００６】
本発明者らは、鋭意検討を重ねた結果、本発明を達成したものであって、本発明の目的は、表、裏の二重の生地からなるネクタイであり、このネクタイの裏地大剣部に所望の図柄を施してなることを特徴とするネクタイによって達成される。
【発明の効果】
【０００７】
本発明のように、購買者の希望に添った写真、絵等をネクタイの裏面に施すことにより、着けて楽しい、贈って嬉しい、世界に１つしかない、オリジナル性に優れたネクタイの提供を可能とするものである。
【発明を実施するための最良の形態】
【０００８】
以下、図１により本発明の一実施態様を説明する。
図１は、本発明のネクタイの一実施態様を示す説明図である。
図において、１はネクタイ、２は表生地大剣部、３は表生地折り曲げ部、４は裏生地大剣部、５は所望の図柄を示している。
【０００９】
ネクタイ１は、表生地を裏生地とからなり、その構造は、従来のものと同様であってよい。
例えば、布地を無駄なく有効に使用し、かつよじれの少ない製品をするために通常は斜めに裁断した３枚の布を組合わせて、ネクタイ形に縫合している。ネクタイを締着した際に表面または正面となる幅広の部分である大剣部２と首部に結ばれて表面から隠れてしまう他端である細帯幅の小剣部（図示せず）とからなる。
また、表生地と裏生地の間に芯地を設けてもよい。
【００１０】
本発明のネクタイは、裏生地大剣部４に購買者の所望の図柄５が施されてなる。裏生地大剣部４に施す図柄５としては、購買者の希望する図柄であれば、写真、イラスト、絵、文字等何でもよい。
また、裏生地は、通常、無地もしくはブランドマークの入った無地の布地が使用されるが、本発明においては、付与する図柄に支障をきたさない色調であれば特に限定されない。
【００１１】
通常のネクタイにおいては、裏生地大剣部４の露出部分は、表生地大剣部端２ａと表生地折り曲げ部端３ａとがほぼ同じの長さである正方形状であるが、本発明においては、付与する図柄が大きくできるよう、表生地折り曲げ部３ａの長さを長くし、裏生地大剣部４の露出部分を大きくすることが好ましい。
【００１２】
本発明のネクタイの製造は、通常のネクタイの製造方法に準じればよく、図柄の付与は、予め裏生地大剣部４に図柄を施してから、ネクタイを形成してもよいし、ネクタイを形成してから、図柄を施すようにしてもよい。
【００１３】
また、図柄の入手は、デジタルカメラや携帯電話のデジタル写真をメールで送ってもらう、絵、イラスト、文字等のデジタルデータをメールで送ってもらう、写真、絵、イラスト、文字等を紙ベースで提出してもらう等により行うことができる。
図柄を施すにあたっては、上記図柄をデータ処理の上、インクジェットプリント、アイロンプリント、転写プリント、スクリーンプリント等の方法により裏生地大剣部にプリントする。
【００１４】
また、市販のネクタイの裏生地を外し、この外した裏生地もしくは新たな裏生地に希望する図柄を付与し、再び裏生地を付けるようにしてもよいし、ネクタイ表生地のデザインも選び、新たにネクタイを作るようにしてもよい。
例えば、購買者が、インターネットにより、既に製造されたネクタイもしくはネクタイの表生地を選び、また、裏生地に付与するための好きな図柄をメールで送ることにより申し込みを行い、これに基づいて、製造、販売する側が購買者の希望する図柄が裏生地に施されたネクタイを製造、販売するという販売形態をとることができる。
【００１５】
このようにした得られたネクタイは、一見普通のネクタイであるが、裏を返せばオリジナルな図柄を有するネクタイであり、お父さん、恋人、夫へのプレゼントとして、また、自分のお気に入りのデザインを施したネクタイとするのに最適なものである。
【図面の簡単な説明】
【００１６】
【図１】本発明のネクタイの一実施態様を示す説明図である。
【符号の説明】
【００１７】
１  ネクタイ
２  表生地大剣部
３  表生地折り曲げ部
４  裏生地大剣部  
５  図柄
【図１】
2005188005.tif 000002
(57)【要約】【課題】電化時代なり電力不足の解決を計る、環境汚染の減少をはかる。【解決手段】波のある場所に堤防と段差付斜面を設けて波を抵抗させて波の拡大、堤防に梃子を設置、船に上下装置と固定と固定解除機を取り付けて梃子棒に連動させ水位と波の高さ合わせて船を移動して力点の位置を変更する、梃子の作用点でエアーポンプを作動して貯蔵空気圧縮タンクを数個設置して気圧を大量生産して順番に使用、気圧でタービンを作動して発電をする。【選択図】    図１
2005188493.tif 000002
【特許請求の範囲】
【請求項１】
海、湖、川等の波のある場所に波止めの堤防と水中に段差付斜面を設置して、上記と波を抵抗させて波を更に拡大させる。堤防の上に梃子を設置して、梃子棒の片側に船を浮かべ船に油圧式上下装置を取り付けて潮の満ち干に対処する水位対応機構。上下装置の上部に油圧式固定と固定解除機を取り付けて梃子棒に固定して作動させる、梃子棒を固定解除して船を移動して同時に力点を移動させて力点を固定する、波の高さに合わせて力点を移動して作用点の調整機構。反対側の梃子棒の上下にエアーポンプと空気圧縮タンクを取り付けて、梃子棒でエアーポンプを作動させて空気を圧縮タンクに貯蔵、空気を圧縮してエネルギーを拡大させる。タービンと発電機と連結して噴射口の前面に設置する、貯蔵された後に気圧でタービンを作動して発電、貯蔵空気圧縮タンクの空気が消滅した場合は別の貯蔵空気圧縮タンクと交互に使用するか、又は、上記同様の設備の台数を増やして、貯蔵空気圧縮タンクを順次に使用、又は、波力の途絶えた時の備蓄。堤防に波が抵抗して波力を拡大、梃子の原理で作用点の拡大と縮小、空気をエアーポンプで圧縮して拡大、再三エネルギーの拡大を特徴とする波力拡大発電。
【発明の詳細な説明】
【発明の詳細な説明】
【０００１】堤防（１）は波のある場所に設置をして、波の流れを止めて逆方向に流れて次の波と合流して大波になる。斜面付段差（２）は堤防の下の水中に設置をして、波が段差と斜面に当たり流れが上昇して大波になる。波（３）はエネルギーで、船を浮かべて上下に動かす。船（４）は波に浮かべて、小波の時に船を移動させて梃子棒の力点の位置を支点に接近させて作用点を拡大、大波の時は逆方向に船を移動させて作用点を縮小させる、台風の時は港に移動して台風専用の波力拡大発電に利用する。杭（５）は船の両サイドに設置、船の繋留と横むき防止。油圧式上下装置（６）は船に取り付けて、満潮時に上下装置のピストン（７）を短くして船と梃子棒の距離を接近させる、干潮時に上下装置のピストン（７）を長くして船と梃子棒の距離を大きくする、水位に合わせて操作する。油圧式固定と固定解除機（８）は上下装置の上部に取り付ける、梃子棒に固定と解除と移動自在に取り付けて、波の大きさに合わせ力点を移動して変更する、小波の時に力点を支点に接近させて作用点を拡大する。支柱（９）は堤防の上部に取り付ける、梃子棒を支える。支点（１０）は支柱の上部に取り付ける、梃子棒をスライド自在して支える。梃子棒（１１）は支柱に取り付ける、力点の方に固定と解除機を接続する。作用点の先端にピストンを取り付ける、波力で左右の梃子棒がスライドする。ジョイント（１２）は梃子棒とピストンの継ぎ手。ピストン（１３）は梃子棒に取り付ける、梃子棒と連動して上下運動する。エアーポンプ（１４）は梃子棒の上下に取り付ける、空気を貯蔵空気圧縮タンクに送る。貯蔵空気圧縮タンク（１５）はエアーポンプと合体、貯蔵用タンクを数個設置。パイプ（１６）は貯蔵空気圧縮タンクに取り付ける、気圧をタービンに噴射する。噴射口（１７）はパイプの先端。バルブ（１８）はパイプの先端に取り付ける、気圧開閉弁。タービン（１９）は噴射口の前面に取り付ける、気圧により回転。発電機（２０）はタービンに取り付ける、タービンの回転により発電。
【技術分野】
【０００２】本発明は電力生産を目標する波力拡大発電に関するものである。
【背景技術】
【０００３】従来の発電機は石油、核燃料、水等の資源を大量に消費する、放射線漏れなどの環境公害。
【発明が解決しようとする課題】
【０００４】本発明は上記の問題点に鑑み資源保存、自然環境と電力の確保を計る波力拡大発電を提供せんとするものである。
【課題を解決するための手段】
【０００５】波のある場所に堤防と段差付斜面を設置、堤防の上部に梃子を設置、船に上下装置を取り付ける、水位の上下に合わせる調整。上下装置の先端に固定と固定解除機を取り付けて梃子棒に移動自在に接続して、波の大きさに合わせて力点の位置の移動。梃子棒の作用点にエアーポンプを取り付けてエアーポンプで空気圧縮して気圧でタービンと発電機作動して発電する波力拡大発電
【発明を実施するための最良の形態】
【０００６】世は正に電化時代であり、将来は人口の増大と共に電力の需要が拡大するので産業界から必然的に求められる革命的な本発明である。
【実施例】
【０００７】小波の場合は固定と固定解除機を解除して船を支点方向に移動させてから梃子棒の力点を固定して作用点の拡大、大波の場合は上記と逆方向に船と力点を移動させて作用点の縮小、満潮時の場合は上下装置のピストンを短くして船と力点の間を狭くする、干潮時の場合は上下装置のピストンを長くし船と力点の間を長くする、波力で船が上下移動して同時に梃子棒とエアーポンプが作動して貯蔵空気圧縮タンクの気圧が上がった時点で片方のバルブを開けて噴射してタービンと発電機の作動。タンクの気圧が消滅時に使用中のタンクのバルブを閉めて別のタンクのバルブを開ける操作を繰り返す。
【発明の効果】
本発明によれば、燃料が不要なので経済的である、汚染の減少。
【図面の簡単な説明】
【図１】第１図は、本発明の全体、波力で船と梃子棒の力点側が上に上がった状態を示した正面図である。
【符号の説明】
１・・堤防
２・・段差付斜面
３・・波
４・・船
５・・杭
６・・上下装置
７・・ピストン
８・・固定と固定解除機
９・・支柱
１０・梃子の支点
１１・梃子棒
１２・ジョイント
１３・ピストン
１４・エアーポンプ
１５・貯蔵空気圧縮タンク
１６・パイプ
１７・噴射口
１８・バルブ
１９・タービン
２０・発電機
【図１】
2005188493.tif 000003
(57)【要約】      （修正有）【課題】二軸ヒンジを用いて扉に設けた環状の硬質パッキンを介し、引き寄せ金物で扉の全周を枠に引き寄せる密閉扉を提供する。【解決手段】枠１と硬質パッキン３を内側周辺に環状に設けた扉２を枠１に設けた第一支軸７と扉２に設けた第二支軸８および両支軸７と８を相対回転可能に結ぶ連結アーム９から成る二軸ヒンジ４により開閉するように支持し、扉２を硬質パッキン３を介して枠１に引き寄せる引き寄せ金物５により構成することを特徴としている。【選択図】図３
2005188268.tif 000002
【特許請求の範囲】
【請求項１】
枠１に設けた第１支軸７と扉２に設けた第２支軸８および両支軸７と８を相対回転可能に結ぶ連結アーム９により構成した二軸ヒンジ。
【請求項２】
請求項１を用いた密閉扉。
【発明の詳細な説明】
【発明の詳細な説明】
【技術分野】
【０００１】この発明は、開き扉を支持する二軸ヒンジを用いて扉の全周に設けた硬質パッキンを介して引き寄せ金物などで枠に引き寄せる密閉扉に関するものである。
【背景技術】
【０００２】従来から密閉を目的とする開き扉については、枠の全周にパッキンを設けて扉の戸先側のみ引き寄せ金物などでパッキンを介して扉を枠に引き寄せ、他側においては扉の開閉力でパッキンを圧触するものであり、パッキンは開閉に支障の無い軟質のものとされ、材質も限定されている。
【発明が解決しようとする課題】
【０００３】これは次のような欠点があった。
（１）扉の戸先側以外枠に引き寄せることが出来ない。
（２）軟質パッキンは反発力が小さい。
（３）軟質パッキンは材質が限定された肉厚の薄い断面形状であり、弾性限度を超えて圧縮され残留変形が大きく耐用期間が短い。
上記の欠点により密閉性能を満たすことができない。
本発明は、これらの欠点を解決するためになされたものである。
【課題を解決するための手段】
【０００４】枠１と硬質パッキン３を内側周辺に環状に設けた扉２を枠１に設けた第一支軸７と扉２に設けた第二支軸８、および両支軸７と８を相対回転可能に結ぶ連結アーム９からなる二軸ヒンジ４により開閉するように支持し、扉２を枠１に引き寄せる引き寄せ金物５により構成するものである。
【発明を実施するための最良の形態】
【０００５】次に発明の実施について述べると
扉２の内側に環状に設けた硬質パッキン３が枠１に接触しない微小の隙間で扉２を枠１に取り付け、第一支軸７を中心に開閉する。
次に枠１に引き寄せられる扉２は環状に設けた硬質パッキン３を介して引き寄せ金物５などにより第１支軸７と第２支軸８を中心に扉２を変位させて枠１に引き寄せ密閉するものである。
なお、環状の硬質パッキン３を扉２に設けたのは、扉２の垂れ下がりなどの枠１と扉２の相対変位による不具合を解消するためである。
そして、硬質パッキン３を枠１の全周に設けても殆ど同じ効果を得ることが出来る。
また、第一支軸７をフロアヒンジなどの床埋め込み自閉装置と組み合わせて自閉にすることが出来る。
【発明の効果】
【０００６】（１）扉の硬質パッキンを枠から離して円滑に開閉できる。
（２）扉の全周を硬質パッキンを介して枠に引き寄せ密閉性を向上できる。
（３）硬質パッキンは材質を限定することなく断面を小さく単純にして大きな反発力を得ることができる。
（４）硬質パッキンの耐久性を向上できる。
（５）矩形以外の開口枠にも対応できる。
【図面の簡単な説明】
【図１】は  本発明の金物位置図
【図２】は  二軸ヒンジの斜視図
【図３】は  Ａ−Ａ断面図
【図４】は  Ｂ−Ｂ断面図
【符号の説明】
１  は  枠          ２  は  扉              ３  は  硬質パッキン
４  は  二軸ヒンジ  ５  は  引き寄せ金物    ６  は  引き手
７  は  第一支軸    ８  は  第二支軸        ９  は  連結アーム
【図１】
2005188268.tif 000003
【図２】
2005188268.tif 000004
【図３】
2005188268.tif 000005
【図４】
2005188268.tif 000006
(57)【要約】      （修正有）【課題】地中の有効活用と路盤の維持費削減を目的とする。【解決手段】路盤数メートルの地中へ段階的に数段設けた液体循環用パイプと、アスファルト路盤下のコンクリートの中へ一定の間隔でラジエター状に設けた液体循環用パイプとで、地表部と地中との熱交換をさせる。【選択図】図１
2005188270.tif 000002
【特許請求の範囲】
【請求項１】
路盤下数メートルの地中へ段階的に数段、更にアスファルト路盤下のコンクリートの中へ一定の間隔でラジエータ状に液体循環用パイプを施工する方法
【発明の詳細な説明】
【発明の詳細な説明】
【技術分野】
【０００１】この発明は、路盤下数メートルの地中へ段階的に数段設けたパイプと路盤下に設けたパイプとを、液体循環用ポンプを使い地表近くの熱と地中の熱とを熱交換させて、夏期はアスファルト路盤の温度を下げ同時に地中に冬期用の暖かい熱を貯えて、夏期高温からのアスファルトの乱れや冬期の融雪の補助とする技術である。
【背景技術】
【０００２】従来は本書のような技術は無かった。
【発明を実施するための最良の形態】
【０００３】この発明は、液体循環用パイプを使い地表部と地中との熱交換をさせる形態である。
【発明の効果】
【０００４】この発明を用いれば、夏期の熱さからアスファルト路盤に起こる乱れの軽減や冬期の融雪の補助とし、路盤維持費の削減となり省エネルギー効果が十分期待できる。
【図面の簡単な説明】
【図面】
本発明の設置実施例を示すものである。
【図１】
路盤を示した断面図である。
【図２】
液体循環用パイプの設置を示した平面図である。
【図１】
2005188270.tif 000003
【図２】
2005188270.tif 000004